【手続補正書】
【提出日】平成27年11月10日(2015.11.10)
【手続補正１】
【補正対象書類名】特許請求の範囲
【補正対象項目名】全文
【補正方法】変更
【補正の内容】
【特許請求の範囲】
【請求項１】
ステムと、
前記ステムに取り付けられた半導体光素子と、
一端および他端並びに前記一端と他端を結ぶ外表面および内表面を有する筒状胴部、前記一端の側に設けられた板部、および前記他端の側に設けられた縁部とを備え、前記縁部が前記ステムに接着されることで前記半導体光素子を覆う、樹脂製のキャップと、
前記板部に設けられて前記キャップと一体化されたレンズと、
を備え、
前記筒状胴部は、
第１部分と、
前記筒状胴部の周方向に離間して設けられ、前記第１部分よりも前記内表面の側に突き出た複数の第２部分と、
を有し、
前記キャップと前記ステムのうち一方の部品が、平面視で複数の前記第２部分と重なる位置に、前記キャップと前記ステムのうち他方の部品の表面にそれぞれ当接する凸部を備えることを特徴とする半導体光装置。
【請求項２】
前記他方の部品は、前記凸部が当接する部位に、前記凸部と嵌り合う凹部を有することを特徴とする請求項１に記載の半導体光装置。
【請求項３】
前記凹部の深さは、前記凸部の高さよりも小さいことを特徴とする請求項２に記載の半導体光装置。
【請求項４】
前記半導体光素子の光軸と前記レンズの中心とが一致する位置関係で前記キャップが固定されるように、複数の前記凸部は互いに高さが異なることを特徴とする請求項３に記載の半導体光装置。
【請求項５】
複数の前記凸部は、複数の前記第２部分とそれぞれ重なる位置に部分的に設けられたことを特徴とする請求項１乃至３のいずれか１項に記載の半導体光装置。
【請求項６】
前記第２部分および前記凸部は、前記ステムの上の３つ以上の位置に一組ずつ設けられており、
前記３つ以上の位置は、鋭角三角形を描く３つの位置を含むことを特徴とする請求項５に記載の半導体光装置。
【請求項７】
前記凸部は、高さ方向に行くほど段階的に外形が小さくなり、
前記凹部は、深さ方向に行くほど段階的に外形が小さくなることを特徴とする請求項２乃至４のいずれか１項に記載の半導体光装置。
【請求項８】
前記他方の部品は、第１の口が前記凸部が入り込む前記凹部の内面に位置し且つ第２の口が前記凹部の外側に位置する貫通穴を有することを特徴とする請求項２乃至４のいずれか１項に記載の半導体光装置。
【請求項９】
前記他方の部品は、前記凸部が当接する部位に、前記凸部が入り込む段差部を有することを特徴とする請求項１に記載の半導体光装置。
【請求項１０】
前記他方の部品は、第１の口が前記凸部が入り込む前記段差部の側面に位置し且つ第２の口が前記段差部の外側に位置する貫通穴を有することを特徴とする請求項９に記載の半導体光装置。
【請求項１１】
前記縁部の前記ステムに接着される面に、前記筒状胴部の周方向に沿って連続的または離間的に設けられたスリットを備えることを特徴とする請求項１乃至１０のいずれか１項に記載の半導体光装置。
【手続補正２】
【補正対象書類名】明細書
【補正対象項目名】００３１
【補正方法】変更
【補正の内容】
【００３１】
図７は、図６の破線Ｘで囲った部位を拡大した拡大断面図である。ここでは、便宜上、凸部３３ｂを例示しているが、他の凸部３３（凸部３３ａ、３３ｃ）についても同様の構成を備えるものである。図７に示すように、凸部３３ｂは、高さＨを備えている。また、凹部２９ｂは、深さＤを備えている。深さＤは、高さＨよりも小さい。また、凸部３３は、上端面１３３ｂと、側面１３３ａとを備えている。さらに、凹部２９ｂは、底面１２９ａと側面１２９ｂを備えている。底面１２９ａの幅Ｗ２は、上端面１３３ｂの幅Ｗ１よりも、大きい。
【手続補正３】
【補正対象書類名】明細書
【補正対象項目名】００３３
【補正方法】変更
【補正の内容】
【００３３】
このような構成で接着剤１４０による接着固定が施されることで、凸部３３の上端面１３３ｂ（Ｚ軸を向く面）とともに、凸部３３の側面１３３ａ（ＸＹ平面に垂直な面）を接着することができる。このような接着により強固に固定ができ、横荷重耐性を向上させることができる。
【手続補正４】
【補正対象書類名】明細書
【補正対象項目名】００３８
【補正方法】変更
【補正の内容】
【００３８】
図９（ａ）に示すように、本変形例では、３つの凹部２２９それぞれが、キャップ２２８における縁部の内側から外側まで連続して延びる一本の溝として形成されている。つまり、凹部２２９が、内表面２２８ｄ側からキャップ２２８の外表面にかけて一本の連続した溝である。図９（ｂ）に示すように、この溝としての凹部２２９の内部に、凸部３３がはまり込むとともに、接着剤１４０によってそれらが固着されている。凹部２２９と凸部３３が接着剤１４０で固着されるとともに、これ以外の部位（第１部分Ｐ１）についても縁部２８ｃと上面３２ａが接着剤１４０で固着されている。
【手続補正５】
【補正対象書類名】明細書
【補正対象項目名】００４０
【補正方法】変更
【補正の内容】
【００４０】
図１０（ａ）はキャップ３２８の底面図であり、図１０（ｂ）はキャップ３２８とステム３２を重ねた場合における図１０（ａ）のＣ−Ｃ´線に沿う断面図である。本変形例では、３つの段差部３２９それぞれが、キャップ３２８における縁部３２８ｃの内側から外側まで突出する段部として形成されている。つまり、段差部３２９が、内表面３２８ｄ側に部分的に突き出た凸部である。
【手続補正６】
【補正対象書類名】明細書
【補正対象項目名】００４１
【補正方法】変更
【補正の内容】
【００４１】
ただし、図１０（ｂ）に断面形状を示すように、縁部３２８ｃの底面は段差部３２９の底面よりも突き出ており、縁部３２８ｃ表面を基準とすると、段差部３２９の表面のほうが相対的に低く窪んでいる。凸部３３の上端面は、この段差部３２９の表面と当接する。このようにして、段差部３２９に凸部３３がはまり込むとともに、接着剤１４０によってそれらが固着されている。段差部３２９と凸部３３が接着剤１４０で固着されるとともに、これ以外の部位（第１部分Ｐ１）についても縁部３２８ｃと上面３２ａが接着剤１４０で固着されている。
【手続補正７】
【補正対象書類名】明細書
【補正対象項目名】００４２
【補正方法】変更
【補正の内容】
【００４２】
図１１の変形例では、キャップ２８に代えて上述のキャップ３２８を用いるとともに、ステム３２に代えて下記に述べるステム４３２を用いる。ステム４３２は、凸部４３３の構成においてステム３２と異なっているが、それ以外は同様である。
図１１（ａ）はステム４３２の上面図であり、図１１（ｂ）はキャップ３２８とステム４３２を重ねた場合における図１１（ａ）のＤ−Ｄ´線に沿う断面図である。本変形例にかかる凸部４３３は、凸部３３と比較して、ステム４３２の径方向の寸法が大きく取られている。その結果、図１１（ｂ）に示すように、キャップ３２８の段差部３２９底面の全体にわたって、凸部４３３の上端面が接触することができる。このような形態であってもよい。
また、ステム３２上の３つの凸部３３に代えて、１つの連続した円形の凸部に変更することもできる。この場合、第２部分Ｐ２付近の断面形状は図１１（ｂ）と同様であるが、金属ブロック１４等の各種部品搭載領域が、ステム３２の周縁部よりも一段高くなる。このような構成であっても良い。３つの凸部３３を個別に設ける場合と比較して、１つの凹部を設けるに留めることで、より単純な構造とすることができ、位置決め精度を犠牲にすることなく、製造コストを下げることができる。
【手続補正８】
【補正対象書類名】明細書
【補正対象項目名】００４４
【補正方法】変更
【補正の内容】
【００４４】
図１３の変形例では、キャップ２８に代えてキャップ６２８を用いるとともに、ステム３２に代えてステム６３２を用いる。図１３（ａ）はキャップ６２８の底面図であり、図１３（ｂ）はステム６３２の上面図である。上記の実施の形態１では、「第２部分Ｐ２、凹部２９、および凸部３３の組」が、１つの筒状胴部２８ａに３つ形成されており、前述の各種変形例でもこれは同様であった。これに対し、図１３の変形例では、「第２部分Ｐ２、凹部６２９および凸部６３３の組」が、１つの筒状胴部２８ａに２つだけ設けられており、この点が上記の実施の形態１とは異なっている。図１３に示す変形例では、第２部分Ｐ２が、対向する２箇所に、ある程度大きな広がりを持って形成されている。これに応じて、凹部６２９および凸部６３３も、実施の形態１と比較して相対的に大きな外形（面積）を有している。これにより、２点支持によっても安定してキャップ６２８を支持、固定することができ、実施の形態１と同様にキャップ６２８の内部空間を広く取ることができる。
【手続補正９】
【補正対象書類名】明細書
【補正対象項目名】００４５
【補正方法】変更
【補正の内容】
【００４５】
ここで、図１４は、上記図１１にかかる変形例での接着剤１４０による接着の様子を示す図である。図１４にかかる構成によれば、図面左側（キャップ３２８の外側）に接着剤１４０が集まるため、図面右側（キャップ３２８の内表面３２８ｄ側）への接着剤が流れ出すことを抑制する効果がある。図１５は、本発明の実施の形態１にかかる半導体光装置２０での接着剤１４０による接着の様子を示している。図１５にかかる構成によれば、接着剤１４０が凹部２９の中心に集まるため、キャップ２８の縁部２８ｃ外側への接着剤１４０の流れ出しを抑制できる。このように、凹部２９および凸部３３並びに上記変形例によれば、接着剤１４０の流れを抑制し、接着剤の量、位置を制御する効果がある。
【手続補正１０】
【補正対象書類名】明細書
【補正対象項目名】００５５
【補正方法】変更
【補正の内容】
【００５５】
キャップ７２８と図１４に示したステム４３２とを組み立てたとき、貫通穴７００は、第１の口が、凸部４３３ｂの側面に位置している。また、第２の口が、段差部３２９の外側、つまりキャップ７２８の外周面上に位置している。この貫通穴７００は、接着剤１４０の逃がし穴として機能する。接着剤１４０を逃がす貫通穴７００を設けることで、接着に寄与すべき段差部３２９ｂとステム４３２の凸部４３３ｂとの間の接着剤１４０の量を、なるべく一定量に近づけることができる。
【手続補正１１】
【補正対象書類名】明細書
【補正対象項目名】００６０
【補正方法】変更
【補正の内容】
【００６０】
スリット構造８００は、並行に形成された複数本のスリットである。このように、実施の形態３にかかるキャップは、縁部８２８ｃのステム３２に接着される面に、キャップ８２８が有する筒状胴部の周方向に沿って離間的に設けられたスリット構造８００を備える。なお、離間的にではなく、この筒状胴部の周方向に沿って連続的に伸びる同心円状の複数のスリットが設けられていても良い。
【手続補正１２】
【補正対象書類名】明細書
【補正対象項目名】００６２
【補正方法】変更
【補正の内容】
【００６２】
図２３および図２４は、本発明の実施の形態３にかかる半導体光装置の変形例を示す図である。図２３に示すように、段差部３２９そのものではなく、段差部３２９付近におけるキャップ８２８の縁部８２８ｃの底面に対して、スリット構造８０１を設けても良い。或いは、図２４に示すように、スリット構造８００の個々のスリットの向きを回転させたスリット構造８０２を設けてもよい（例えば、図２４では、９０度回転させたものである）。スリット構造８０１、８０２の断面構造、幅、本数は、スリット構造８００と同じとすればよい。
【手続補正１３】
【補正対象書類名】図面
【補正対象項目名】図１６
【補正方法】変更
【補正の内容】
【図１６】
2014150098.tif 000001
【手続補正１４】
【補正対象書類名】図面
【補正対象項目名】図２１
【補正方法】変更
【補正の内容】
【図２１】
2014150098.tif 000002
【手続補正１５】
【補正対象書類名】図面
【補正対象項目名】図２２
【補正方法】変更
【補正の内容】
【図２２】
2014150098.tif 000003
【手続補正１６】
【補正対象書類名】図面
【補正対象項目名】図２３
【補正方法】変更
【補正の内容】
【図２３】
2014150098.tif 000004
【手続補正１７】
【補正対象書類名】図面
【補正対象項目名】図２４
【補正方法】変更
【補正の内容】
【図２４】
2014150098.tif 000005